(57)【特許請求の範囲】
【請求項１】
ベースが、周縁を残し一段高くして段部が形成されており、その中央に紙筒灸のための収納凹部を有し、カバーにも、ベースの段部に対応して周縁を残した凹部が形成されていて、ベースにカバーがされた時には、ベースの段部にカバーの凹部が係合して蓋されようになっており、そしてベースあるいはカバーに、紙筒灸内の燃焼物の押出しをするための凸部が形成されていることを特徴とする紙筒灸のパッケージ
【請求項２】
収納凹部の形状が六角形である請求項１に記載の紙筒灸のパッケージ
【請求項３】
ベースの段部以外の位置に、紙筒灸の接着面を湿らせるための給水あるいは粘着剤を入れるための窪みが形成されていることを特徴とする請求項１あるいは２に記載の紙筒灸のパッケージ
【請求項４】
カバーおよびベースが蓋された状態で密着した状態となる周縁平坦面の対応面に、隣接させてそれぞれ切欠きが形成され、パッケージを開ける際に、カバーおよびベースに形成した切欠きにより、それぞれ片方を摘み簡単に開くことができるようになっている請求項１,２あるいは３に記載の紙筒灸のパッケージ
【発明の詳細な説明】
【０００１】
【発明が属する技術分野】
本発明は、一回分の灸材料が紙筒に入れられてなるいわゆる簡易灸の販売、保管に使用するパッケージに関するものである。
【０００２】
【従来の技術】
従来の販売方法は、紙筒灸がビニール袋にバラで入れられたり、あるいは台紙に整列させてのり付けされて箱詰梱包され、これに押出し棒が添えられて販売されている。施灸する時には、図２に示すように，紙筒ａ内のもぐさなどの燃焼物ｂを押出し棒ｄを使用して底から押し出し、紙筒灸を、紙筒の底に付けてあるのりにて肌に固定し点火している。この押出し棒ｄは、燃焼物を一定の高さまで押し上げられるように、一定の高さで停止するような段構造の形状となっている。
【０００３】
【発明が解決しようとする課題】
紙筒灸を使用する際には、紙筒内より燃焼物を押出すために押出し棒が必須である。しかしながら使用時に押出し棒が一緒に存するとは限らず、また使用後にしまい忘れるおそれもある。押出し棒は、一定の高さまで燃焼物を押し上げ、一定の施灸温度を得るのに必須のものであり、押出し棒がないと非常に不便となる。
【０００４】
また、紙筒灸は、近年煙が発生しないように炭化させた燃焼物を詰込むようにしている。そのため、炭化紛が包装袋、箱内に散ばるため、同じパッケージにしまわれている押出し棒が汚れることはもちろん、押出し棒および紙筒灸を取出す際に手も汚れてしまう。
【０００５】
【課題を解決するための手段】
そこで本発明は、押出し棒を別体とせず、パッケージに押出し部一体に形成し、別体としての押出し棒をパッケージに添える必要を無くしたものである。
そのためにパッケージの一部に凸部を成形にて形成して押出し部とした。
また、パッケージのベースに凹部を形成し、この中に紙筒灸を収納するようにし、かつベースとカバーが凹凸係合するような構造とすることで、炭化粉が散ばらない体裁の良いパッケージとした。
【０００６】
その他にもパッケージの一部に凹部を形成し、紙筒に予め付着させてある再湿性の糊に湿りを与えるための給水部、あるいは筒に接着糊を付与するための接着部用の窪みを形成した。
さらにまた、係合されるパッケージの開閉を容易に行えるようにするために、カバーとベースの縁にそれぞれ切欠きを形成し、それぞれを別個に摘めるようにして開閉が簡単にできるようにした。
【０００７】
【発明の実施の形態】
本発明を図面に示す実施例にしたがって説明する。
パッケージ１のベース２は、周縁を残し一段高くして段部２ａが形成され、その中央に紙筒灸の収納凹部４が形成されている。この収納凹部４の深さは、紙筒灸Ａのとほぼ同じ長さとするか、カバー３側にも対応する凹部５を形成し、ベースとカバーの両凹部の深さの合計が紙筒灸Ａの長さとなるように形成する。
パッケージの１カバー３にも、ベース２の段部２ａに対応し、周縁を残した凹部３ａが形成されており、ベース２にカバー３がされた時には、ベースの段部２ａにカバーの凹部３ａが係合して蓋される。したがって、カバーとベースが皿状に重なり、周縁が立ち上がっているので、紙筒灸から出る炭化紛をケース内に閉じ込めることができる。
【０００８】
そしてベース２あるいはカバー３の収納凹部内あるいはその外に、紙筒灸Ａの筒の内径より小径であり一定の高さとした凸部を形成してあり、紙筒灸内の燃焼物の押出し部６としてある。
さらに必要に応じて、紙筒灸の接着面を湿らせるための給水あるいは粘着剤を入れるための窪み７を用意しておくのが望ましい。
この窪みに対応するカバー側には湿気を逃すための孔を設けておくとよい。
【０００９】
紙筒灸Ａは、図２に示すように厚紙からなる筒内ａにもぐさなどを燻煙乾燥させて成形した炭化物ｂが入れられており、施灸する時は、図２(２)に示されるように下から炭化物が押され、図２(３)のように上方へ押し出され、その部分に点火される。この筒の下側端には、肌への接着を可能とするために糊ｃが付けられている
【００１０】
施灸する時は、収納凹部４内の紙筒灸Ａを取り、押出し部６に紙筒灸Ａを底から被せることで、内部の燃焼物ｂを押し出せ、そのまま施灸できる。肌に固定する時は、再湿性の糊であれば窪み７に用意した水分を含ませて行える。
収納凹部４に、一杯に整列されて収納されている紙筒灸Ａの取出しを容易にさせるために、凹部４の縁の一部を欠落させて凹み部５を形成しておくと良い。
【００１１】
【実施例】
本発明の別の実施例を第３図、第４図に従って説明する。
この実施例の場合は、ケース１１のベース１２に形成した紙筒灸Ａの収納凹部１４の形状を六角形としてある。
収納凹部を六角形とすることにより、一辺に３個で計１９個、一辺に４個で計３７個、一辺５個で計６１個、一辺６個で計９１個、一辺７個で計１２７個という数値になり、これら合計値より１引くことで１８，３６，６０，９０，１２６という区切りの良い数値になることに着目し、ベースあるいはカバーの凹部内に押出し部１６を形成することで、紙筒灸の収納個数をマイナス１となるようにした。また、一辺に７個の場合は計１２７個であり、収納凹部も大きなスペースとなる場合は、押出し部を７個設けて区切りの良い１２０個にし、またこの複数の押出し部によりケースの強度を高めることができる。
【００１２】
さらに、この実施例においては、カバー１２およびベース１３の周縁の対応面に、隣接させて切欠き１６,１７を形成してある。図５に示すように、パッケージは、カバーおよびベースは蓋した状態で、周縁の平坦面が密着した状態となる。したがってパッケージを開ける際に、カバーおよびベースに形成した切欠きにより、この切欠きに対面するカバーあるいはベースの片方をそれぞれ摘まむことで簡単にパッケージを開くことができる。
【００１３】
【発明の効果】
このように本発明によれば、施灸時に燃焼物を押し出すための押出し棒を探さなくともケースに形成されており便利である。また押出し棒の分コストが下がることになる。
本発明ケースの使用により紙筒灸の取扱いを手を汚さずに行えることができるようになる。
さらに、パッケージの周縁に切欠きを形成したことで、パッケージを簡単に開くことが可能となり、特に紙筒灸のように小さなものが整列されたケースを、内容物をひっくり返すことなくそっと開けられることは非常に便利である。
【図面の簡単な説明】
【図１】本発明の実施例の斜視図
【図２】紙筒灸
【図３】本発明の別の実施例
【図４】六角形収納部への紙筒灸の収納個数を示す
【図５】パッケージに切欠きを形成した実施例
【符号の説明】
１    ケース
２    ベース
２ａ    ベース段部
３    カバー
３ａ    凹部
４    収納凹部
５    凹み
６    押出し部
７    窪み
【図１】
0003922432.tif 000002
【図２】
0003922432.tif 000003
【図３】
0003922432.tif 000004
【図４】
0003922432.tif 000005
【図５】
0003922432.tif 000006